(57)【特許請求の範囲】
【請求項１】
コンタクトガラスの下方に配置された画像読取手段と、前記コンタクトガラス上に原稿を搬送させる搬送手段と、原稿を前記コンタクトガラス上に圧接させ、しかも前記画像読取手段における白レベル判別用の白圧板とを備えた画像入力装置において、
装置本体における原稿読み取り位置に対向する部位に上下動可能に設けられかつ前記白圧板における前記コンタクトガラスとの対向面の反対面に常時接触して接地する接地手段を有し、前記白圧板を、導電性を有する可撓部材によって構成し、前記白圧板の一端部を装置本体における原稿読み取り位置に対して原稿搬送方向上流側に固定し、前記白圧板の対向面を原稿読み取り位置側に向かって傾斜させ、前記白圧板の他端部を原稿読み取り位置に配置したことを特徴とする画像入力装置。
【請求項２】
コンタクトガラスの下方に配置された画像読取手段と、前記コンタクトガラス上に原稿を搬送させる搬送手段と、原稿を前記コンタクトガラス上に圧接させ、しかも前記画像読取手段における白レベル判別用の白圧板とを備えた画像入力装置において、
装置本体に設けられかつ前記白圧板における前記コンタクトガラスとの対向面の反対面に常時接触して接地する接地手段を有し、前記白圧板を可撓部材によって構成し、前記白圧板の反対面全体に可撓性導電板を取り付け、前記白圧板の一端部を装置本体における原稿読み取り位置に対して原稿搬送方向上流側に固定し、前記白圧板の対向面を原稿読み取り位置側に向かって傾斜させ、前記白圧板の他端部を原稿読み取り位置に配置したことを特徴とする画像入力装置。
【請求項３】
前記白圧板を1013Ω以上の抵抗値を有する部材によって構成したことを特徴とする請求項２記載の画像入力装置。
【請求項４】
前記白圧板に前記可撓性導電板を密着させたことを特徴とする請求項２または請求項３記載の画像入力装置。
【請求項５】
前記可撓性導電板を、厚さが0.01mm〜0.3mmの板ばね材によって構成したことを特徴とする請求項４記載の画像入力装置。
【請求項６】
コンタクトガラスの下方に配置された画像読取手段と、前記コンタクトガラス上に原稿を搬送させる搬送手段と、原稿を前記コンタクトガラス上に圧接させ、しかも前記画像読取手段における白レベル判別用の白圧板とを備えた画像入力装置において、
装置本体に設けられかつ前記白圧板における前記コンタクトガラスとの対向面の反対面に常時接触して接地する接地手段を有し、前記白圧板を可撓部材によって構成し、前記白圧板の反対面全体に、導電性塗装，スパッタリング，真空蒸着等のいずれかによって導電性薄膜を設け、前記白圧板の一端部を装置本体における原稿読み取り位置に対して原稿搬送方向上流側に固定し、前記白圧板の対向面を原稿読み取り位置側に向かって傾斜させ、前記白圧板の他端部を原稿読み取り位置に配置したことを特徴とする画像入力装置。
【発明の詳細な説明】
【０００１】
【発明の属する技術分野】
本発明は、ファクシミリ装置，複写機等に適用される画像入力装置に関する。
【０００２】
【従来の技術】
図４は従来のファクシミリ装置の一例を示す構成図であり、２０は画像読取部、２１は光学的に原稿を読み取る画像読取装置、２２は画像読取装置２１の画像読取位置方面に原稿を移動させるフィードローラ、２３はフィードローラ２２によって送られた原稿を１枚ずつ分離搬送させる分離ローラ、２４は分離ローラ２３によって送られた原稿を画像読取位置に搬送するＲ１ローラ、２５は画像読取位置に設けられたコンタクトガラス、２６は画像読取位置を通過した原稿を外部に排出させるＲ２ローラ、２７は、コンタクトガラス２５の上方に設けられ、Ｒ１ローラ２４によって搬送される原稿をコンタクトガラス２５側に付勢する圧板を示す。
【０００３】
２８は電子写真方式で用紙に画像を記録する画像記録部、２９は感光体ドラム、３０は感光体ドラム２９をレーザ光で走査させて静電潜像を形成させる光走査装置、３１は静電潜像を現像してトナー像にする現像装置、３２は感光体ドラム２９上のトナー像を用紙に転写させる転写装置、３３は用紙にトナー像を定着させる定着装置、３４は感光体ドラム２９上の残留物を回収するクリーニング部と現像装置３１に供給する新規トナーと収納するトナー収納部とを一体に備えてなるクリーニングトナーマガジンを示す。
【０００４】
３５は給紙部、３６は、内部に用紙を収納し、ファクシミリ装置本体に対して着脱可能な給紙カセット、３７は給紙カセット３６内の用紙を１枚ずつ画像記録部２８に搬送する給紙コロを示す。
【０００５】
図４のファクシミリ装置は、主に画像読取部２０，画像記録部２８および給紙部３５の３部からなり、画像読取部２０によって読み取られた原稿は回線を介して送信相手先に送られる。また、相手先から回線を介して受信した画像情報あるいは画像読取部２０によって読み取られた原稿の画像情報は画像記録部２８によって用紙に記録される。
【０００６】
ところで、ファクシミリ装置やスキャナなどの画像入力装置において、原稿を読み取る際にピントを合わせたり、コンタクトガラス上における原稿ばたつきが原因の縦線の歪を防止するため原稿をコンタクトガラスから一定の距離に保つ必要がある。そのため、ピントに対して０．２ｍｍ〜０．４ｍｍの精度を要求する画像読取装置、例えば密着センサやＣＣＤ（ｃｈａｒｇｅ  ｃｏｕｐｌｅｄ  ｄｅｖｉｃｅ）の縮小光学系を用いた画像読取装置でも縦線の歪を最小限にするため、白レベル判別のための白圧板をコンタクトガラス上に弾性的に当接させたり、０．２ｍｍ程度の微小な隙間を持たせて弾性的に配置するなどしていた。
【０００７】
【発明が解決しようとする課題】
しかしながら、この白圧板は、一般的に電気抵抗の高い部材、例えばＰＥＴ材からなる着色フィルムや樹脂性のものが一般的であるため、原稿が通紙されると摩擦により静電気が発生してゴミが付着し、このゴミを黒い点と認識してしまい、アウトプットとしては副走査方向にスキャンしているので黒スジとなる不具合があった。
【０００８】
このため従来は、白圧板の裏側の一部に導電性の部品を付けたり、白圧板とは別に原稿を付勢するための導電性部材を設けたものがある。しかし、白圧板の裏側の一部だけであるため静電気の除去に対して不十分であったり、導電性部材を設ける場合は白圧板を読み取るため画像読取部の手前で付勢するようになり、この付勢部分でゴミが掻き取られて画像読取部に付着して、黒スジが発生するおそれがある。
【０００９】
本発明は、このような問題点を解決し、トナー剥離片や紙粉等のゴミによる読み取り画像に対する悪影響を防止した画像入力装置を提供することをその課題とする。
【００１０】
【課題を解決するための手段】
前記課題を解決達成するための本発明は、コンタクトガラスの下方に配置された画像読取手段と、前記コンタクトガラス上に原稿を搬送させる搬送手段と、原稿を前記コンタクトガラス上に圧接させ、しかも前記画像読取手段における白レベル判別用の白圧板とを備えた画像入力装置において、前記白圧板を、導電性を有する可撓部材によって構成したことを特徴とする。このような構成により、原稿との摩擦による白圧板の帯電を、白圧板がゴミを吸着させるに至らないレベルまで低くすることができる。
【００１１】
また本発明は、コンタクトガラスの下方に配置された画像読取手段と、前記コンタクトガラス上に原稿を搬送させる搬送手段と、原稿を前記コンタクトガラス上に圧接させ、しかも前記画像読取手段における白レベル判別用の白圧板とを備えた画像入力装置において、前記白圧板における前記コンタクトガラスに対向する面の反対面に可撓性導電板を配置したことを特徴とする。このような構成により、白圧板が摩擦によって帯電しても、白圧板の帯電のレベルを低減することができる。
【００１２】
また本発明は、前記白圧板を１０１３Ω以上の抵抗値を有する部材によって構成したことを特徴とする。このような構成により、白色度の高い部材で白圧板を構成することができる。
【００１３】
また本発明は、前記白圧板に前記可撓性導電板を密着させたことを特徴とする。このような構成により、白圧板に発生した静電気が可撓性導電板側に移動しやすくなるため、より効果的に白圧板の静電気を除去することができる。
【００１４】
また本発明は、前記可撓性導電板を厚さ０．０１ｍｍ〜０．３ｍｍの板ばね材によって構成したことを特徴とする。このような構成により、原稿搬送時に可撓性導電板が変位しても白圧板が初期位置に復帰することが可能になり、また、白圧板の剛性が必要以上に高くならず、原稿を付勢する力が安定しかつ持続するようになる。
【００１５】
また本発明は、コンタクトガラスの下方に配置された画像読取手段と、前記コンタクトガラス上に原稿を搬送させる搬送手段と、原稿を前記コンタクトガラス上に圧接させ、しかも前記画像読取手段における白レベル判別用の白圧板とを備えた画像入力装置において、前記白圧板における前記コンタクトガラスに対向する面の反対面に、導電性塗装，スパッタリング，真空蒸着等のいずれかによって導電性薄膜を設けたことを特徴とする。このような構成により、白圧板の厚さを厚くすることがないため、白圧板の剛性が必要以上に高くならず、原稿に対する付勢力を安定させることができる。
【００１６】
また本発明は、前記白圧板の反対面を接地したことを特徴とする。このような構成により、白圧板の静電気を確実に除去することができる。
【００１７】
【発明の実施の形態】
以下、本発明の実施形態について、図面を参照のもとに詳細に説明する。
【００１８】
図１は本発明の第１実施形態の装置の要部を示す構成図であり、１はＲ１ローラ、２はＲ１ローラ１に当接しかつ従動するＲ１コロ、３はＰＥＴ材からなる可撓性を有するガイド部材、４はコンタクトガラス、５は内部に光源や画像読取素子等からなる密着型イメージセンサを収納した密着センサ筐体を示す。この密着センサ筐体５上にコンタクトガラス４が装着されており、コンタクトガラス４における原稿が送り込まれる側の端部にガイド部材３が片持ち状に取り付けられている。さらに、６はＲ２ローラ、７はＲ２ローラ６に当接しかつ従動するＲ２コロ、８は、可撓性部材からなり、白レベル判別用の白色面を有する白圧板、９は、上下動可能に設置され、可撓性導電板を接地する角パイプ、１０は画像入力装置本体の下部筐体、１１は下部筐体１０に対して開閉可能な画像入力装置本体の上部筐体、１２は原稿を示す。
【００１９】
下部筐体１０には、Ｒ１ローラ１，密着センサ筐体５，Ｒ２ローラ６の順で装着されており、この時、ガイド部材３の自由端はＲ１ローラ１側を向いている。上部筐体１１には、Ｒ１コロ２，白圧板８，角パイプ９，Ｒ２コロ７の順で装着されている。白圧板８の一端はＲ１コロ２と角パイプ９との間における上部筐体１１に固定されており、他端は角パイプ９に固定されている。そして、下部筐体１０と上部筐体１１とを組み合わせたとき、Ｒ１ローラ１とＲ１コロ２およびＲ２ローラ６とＲ２コロ７とが当接し、密着センサ筐体５の上方に白圧板８が位置付けられる。この時、角パイプ９の下方が画像読取位置となり、白圧板８の他端がこの画像読取位置上にある。このとき、白圧板８の他端はコンタクトガラス４上に当接させるか、あるいは微小な隙間を設けて配置される。さらに、Ｒ１ローラ１によって搬送される原稿１２は、白圧板８によってコンタクトガラス４側にガイドされながら、画像読取位置に搬送される。
【００２０】
また、白圧板８は、１０１３Ω未満の抵抗値を有する導電性の可撓性部材から構成されており、角パイプ９を介して接地されている。なお、一般に、抵抗値が１０１３Ω未満の部材は帯電しにくい特性があることが分かっている。逆に、抵抗値が１０１３Ω以上の部材は比較的帯電し易い部材となる。
【００２１】
次に、動作について説明する。
【００２２】
原稿読取装置本体にセットされた原稿１２は、Ｒ１ローラ１によって搬送され、ガイド部材３のガイドによってコンタクトガラス４に送られ、密着センサ筐体５内の画像読取素子によって原稿１２の画像が読み取られ、Ｒ２ローラ６によって排出される。この時、白圧板８のガイドにより下方へ搬送され、その結果、原稿１２はコンタクトガラス４を擦るように移動する。同時に白圧板８が原稿１２と擦れあって摩擦帯電するが、この場合、白圧板８の抵抗値が１０１３Ω未満であるため、ゴミを吸着しないレベルまで帯電を低くすることができるようになる。その結果、原稿１２に付着しているゴミが静電気によって白圧板８に吸着されにくくなる。
【００２３】
このように構成したことにより、原稿搬送時に白圧板８と原稿12とが擦れあっても、白圧板８が導電性を有することにより静電気によって帯電しにくくなるため、静電気によって白圧板８にゴミが付着することが防止され、黒スジなどの画像不具合を防止することが可能となる。さらに、角パイプ９を介して接地されているため、白圧板８の静電気を確実に除去することができる。
【００２４】
図２は本発明の第２実施形態の装置の要部を示す構成図であり、１３は、可撓性部材からなり、白レベル判別用の白色面を有するを有する白圧板、１４は白圧板１３のコンタクトガラス４に対向する面とは反対面に貼着される可撓性導電板を示す。なお、図１に示した第１実施形態における部材と同一の部材に対しては同一の符号を付すことにより、詳細な説明は省略した。
【００２５】
白圧板１３は、１０１３Ω以上の抵抗値を有する可撓性部材から構成されており、可撓性導電板１４は、銅板，リン青銅板，ステンレス板等からなる板ばね材で構成されている。この可撓性導電板１４と白圧板１３は接着等により密着状態で固定されている。さらに、可撓性導電板１４の一端部は上部筐体１１に固定されているが、他端は自由端として揺動可能な状態にあり、上部筐体１１を閉じたとき、白圧板１３および可撓性導電板１４の他端部はコンタクトガラス４に当接して弾性変形し、白レベル読み取りが可能な状態となる。このとき、可撓性導電板１４の他端部には角パイプ９が当接する。
【００２６】
ここで、可撓性導電板１４の厚さについては、厚さが薄い場合は原稿を十分に付勢力することが難しく、また、厚い場合は剛性が高くなって原稿に対する付勢力が必要以上に大きくなる。そこで、実験の結果、厚さが０．０１ｍｍ〜０．３ｍｍの範囲が適当であることが分かった。そのため、本実施形態における可撓性導電板１４の厚さは０．０１ｍｍ〜０．３ｍｍの範囲に設定されている。
【００２７】
次に、動作について説明する。
【００２８】
原稿読取装置本体にセットされた原稿１２は、Ｒ１ローラ１によって搬送され、ガイド部材３のガイドによってコンタクトガラス４に送られ、密着センサ筐体５内の画像読取素子によって原稿１２の画像が読み取られ、Ｒ２ローラ６によって排出される。この時、可撓性導電板１４の付勢により下方へ押圧され、その結果、原稿１２はコンタクトガラス４を擦るように移動する。同時に白圧板１３が原稿１２と擦れあって静電気が発生するが、白圧板１３に貼着されている可撓性導電板１４が導電性を有するので静電気は可撓性導電板１４および角パイプ９を介して放出されるため白圧板１３には溜らず、原稿１２に付着しているゴミが白圧板１３に吸着されにくい。
【００２９】
このように構成したことにより、白圧板１３の静電気が除去されるため、白圧板１３にゴミが付着することが防止され、黒スジなどの画像不具合を防止することが可能となる。また、白圧板１３と可撓性導電板１４とを密着させているため、白圧板１３の帯電レベルを確実に低下させることができる。さらに、可撓性導電板１４は板ばね材で構成されているため、原稿搬送時に可撓性導電板１４が変位しても白圧板１３が初期位置に復帰することが可能になり、原稿１２を付勢する力が安定しかつ持続するようになる。また、抵抗値が１０１３Ω以上の部材の方が、１０１３Ω未満の部材よりも白レベルの高い部材を構成しやすいため、精度のよい白レベル検出が行える。
【００３０】
なお、第１実施形態の装置における白圧板８の反対面に対しても、白圧板８より導電性が良い材質からなる可撓性導電板を貼着すれば、より確実に白圧板８における静電気の発生を防止することができる。
【００３１】
また、白圧板１３が原稿を適切に付勢する程度のばね性を有するならば、可撓性導電板１４の一端に白圧板１３を固定し、可撓性導電板１４の他端を角パイプ９に固定し、白圧板１３の他端を自由端として揺動可能にする。そして、上部筐体１１を閉じて、白圧板１３の他端がコンタクトガラス４に弾性変形しながら当接して白レベルの読み取りを可能な状態にさせたときに、白圧板１３と可撓性導電板１４とを密着するように構成しても良い。
【００３２】
図３は本発明の第３実施形態の装置の要部を示す構成図であり、１５は白圧板１３の反対面に形成された導電性薄膜を示す。第２実施形態の装置は白圧板１３の反対面に板ばね材の可撓性導電板１４が貼着されたものであるが、第３実施形態の装置は、白圧板１３の裏面に、可撓性導電板１４の代わりに導電性塗装，スパッタリング，真空蒸着などによって導電性薄膜１５を形成したものである。
【００３３】
このような構成により、白圧板１３に対するゴミの付着を防止するとともに、白圧板１３による原稿１２をコンタクトガラス４に付勢する力が大きくなりすぎることなく適度な力で付勢することが可能になり、原稿搬送時にスキューやジャムの発生を低減することができる。
【００３４】
以上、本発明の実施形態について述べてきたが、本発明は上述した実施形態に限るものではない。例えば、上述した実施形態では密着センサを用いた画像入力装置で説明してきたが、図４に示すようなＣＣＤを用いた縮小光学系を用いた画像入力装置に適用しても同様な効果が得られる。
【００３５】
【発明の効果】
以上、説明したように構成された本発明によれば、簡単な構成で白圧板の帯電を低減することができるため、原稿に付着しているゴミが白圧板に吸着されにくなるため、読み取り画像に黒スジが発生することが防止される。
【００３６】
また、白圧板を１０１３Ω以上の部材で構成したことにより、白レベルの高い部材を白圧板に適用することができる。さらに、可撓性導電板は厚さが０．０１ｍｍ〜０．３ｍｍの板ばね材で構成されているため、原稿搬送時に可撓性導電板が変位しても白圧板が初期位置に復帰することが可能になり、原稿を付勢する力が安定しかつ持続するようになる。
【００３７】
また、白圧板の反対面に導電性薄膜を形成したことにより、白圧板による原稿をコンタクトガラスに付勢する力が大きくなりすぎることなく適度な力にすることが可能になり、原稿搬送時にスキューやジャムの発生を低減することができる。
【図面の簡単な説明】
【図１】本発明の第１実施形態の装置の要部を示す構成図である。
【図２】本発明の第２実施形態の装置の要部を示す構成図である。
【図３】本発明の第３実施形態の装置の要部を示す構成図である。
【図４】従来のファクシミリ装置の一例を示す構成図である。
【符号の説明】
１…Ｒ１ローラ、  ２…Ｒ１コロ、  ３…ガイド部材、  ４…コンタクトガラス、  ５…密着センサ筐体、  ６…Ｒ２ローラ、  ７…Ｒ２コロ、  ８，１３…白圧板、  ９…角パイプ、  １０…下部筐体、  １１…上部筐体、  １２…原稿、  １４…可撓性導電板、  １５…導電性薄膜。
【図１】
0003594773.tif 000002
【図２】
0003594773.tif 000003
【図３】
0003594773.tif 000004
【図４】
0003594773.tif 000005